(57)【要約】【課題】パッシブ型ＩＣタグのＩＤを読み取るＲＦＩＤシステムにおいて、電池の消耗を抑制することができる技術を提供する。【解決手段】認識番号を記憶しているＩＣタグ１０４と、ＩＣタグ１０４の認識番号を読み取るリーダ１０７と、リーダ１０７の電源制御を行うアクティブ回路１０２とを有しているＲＦＩＤシステムを構成する。ＩＣタグ１０４は第１及び第２の端子を備え、アクティブ回路１０２は第３及び第４の端子を備えている。第１及び第２の端子と第３及び第４の端子が接続されていないときは、リーダ１０７への電源供給が停止する。第１及び第２の端子と第３及び第４の端子が第１の接点１０３と第２の接点１１２により接続されると、アクティブ回路１０２の制御によりリーダ１０７が駆動し、リーダ１０７がＩＣタグ１０４の認識番号を読み取る。【選択図】図１
2009169499.tif 000002
【特許請求の範囲】
【請求項１】
認識番号を記憶しているＩＣタグと、
前記ＩＣタグの認識番号を読み取るリーダと、
前記リーダの電源制御を行う第１回路とを有し、
前記ＩＣタグは第１及び第２の端子を備え、
前記第１回路は第３及び第４の端子を備え、
前記第１及び第２の端子と前記第３及び第４の端子が接続されていないときは、前記リーダへの電源供給が停止し、
前記第１及び第２の端子と前記第３及び第４の端子が接続されると、前記第１回路の制御により前記リーダが駆動し、前記リーダが前記ＩＣタグの認識番号を読み取ることを特徴とするＲＦＩＤシステム。
【請求項２】
請求項１記載のＲＦＩＤシステムにおいて、
前記第１回路は、前記リーダから前記認識番号を受信し、無線により前記認識番号を遠方の基地局に送信することを特徴とするＲＦＩＤシステム。
【請求項３】
請求項１記載のＲＦＩＤシステムにおいて、
前記第１及び第２の端子と前記第３及び第４の端子の接続が容量結合であることを特徴とするＲＦＩＤシステム。
【請求項４】
請求項１記載のＲＦＩＤシステムにおいて、
前記第１及び第２の端子と前記第３及び第４の端子の接続がコイル結合であることを特徴とするＲＦＩＤシステム。
【請求項５】
ＩＣタグが内蔵されたカードと、
前記ＩＣタグの認識番号を読み取るリーダと、前記リーダの電源制御を行う第１回路とを備えたカードホルダとを有し、
前記カードは第１及び第２の端子を備え、
前記カードホルダは第３及び第４の端子を備え、
前記カードが前記カードホルダに挿入されていないときは、前記第１及び第２の端子と前記第３及び第４の端子が接続されないため、前記リーダへの電源供給が停止し、
前記カードが前記カードホルダに挿入されると、前記第１及び第２の端子と前記第３及び第４の端子が接続されて、前記第１回路の制御により前記リーダが駆動し、前記リーダが前記ＩＣタグの認識番号を読み取ることを特徴とするＲＦＩＤシステム。
【請求項６】
請求項５記載のＲＦＩＤシステムにおいて、
前記第１回路は、前記リーダから前記認識番号を受信し、無線により前記認識番号を遠方の基地局に送信することを特徴とするＲＦＩＤシステム。
【請求項７】
請求項５記載のＲＦＩＤシステムにおいて、
前記第１及び第２の端子と前記第３及び第４の端子の接続が容量結合であることを特徴とするＲＦＩＤシステム。
【請求項８】
請求項５記載のＲＦＩＤシステムにおいて、
前記第１及び第２の端子と前記第３及び第４の端子の接続がコイル結合であることを特徴とするＲＦＩＤシステム。
【請求項９】
カードに内蔵されたＩＣタグの認識番号をカードホルダによって読み取るＲＦＩＤ通信方法であって、
前記カードホルダは、前記ＩＣタグの認識番号を読み取るリーダと、前記リーダの電源制御を行う第１回路とを備えており、
前記カードは第１及び第２の端子を備えており、
前記カードホルダは第３及び第４の端子を備えており、
前記カードが前記カードホルダに挿入されていないときは、前記第１及び第２の端子と前記第３及び第４の端子が接続されないため、前記リーダへの電源供給が停止し、
前記カードが前記カードホルダに挿入されると、前記第１及び第２の端子と前記第３及び第４の端子が接続されて、前記第１回路の制御により前記リーダが駆動し、前記リーダが前記ＩＣタグの認識番号を読み取ることを特徴とするＲＦＩＤ通信方法。
【請求項１０】
請求項９記載のＲＦＩＤ通信方法において、
前記第１回路は、前記リーダから前記認識番号を受信し、無線により前記認識番号を遠方の基地局に送信することを特徴とするＲＦＩＤ通信方法。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｏｎの略）システムおよびＲＦＩＤ通信方法に関し、特に、カードに組み込まれたＩＣタグ内のＩＤ（認識番号）をアクティブ回路により読み取り、遠方の基地局に送信する技術に関する。
【背景技術】
【０００２】
ＲＦＩＤシステムにおいては、電池駆動や省エネルギを実現するため、必要なときにＩＣタグのリーダの電源が制御されることが望ましい。特許文献１はドアセンサで必要なときを検出してＩＣタグのリーダの電源を制御している。特許文献２は赤外で必要なときを検出してリーダの電源を制御している。特許文献３はレンズの装着をスイッチで必要なときを検出してＩＣタグの電源を制御している。特許文献４は近場の携帯リーダのみの動作を行う技術例である。
【特許文献１】特開２００５-０２３５３８号公報
【特許文献２】特開２００２-５４３６４６号公報
【特許文献３】特開２００６-２６７４０５号公報
【特許文献４】特開２００６-１７４０８７号公報
【発明の開示】
【発明が解決しようとする課題】
【０００３】
ところで、前記のようなＲＦＩＤの技術について、本発明者が検討した結果、以下のようなことが明らかとなった。
【０００４】
例えば、上記特許文献のいずれも、電源供給が必要な時の制御をセンサーやスイッチなどに依存している。また、電源を持たないパッシブ型ＩＣタグのＩＤを、リーダの電源を制御して取得した後に遠方の基地局に無線でＩＤを送付する技術がなく、ＲＦＩＤの用途が限定されてしまう。ただし、電源を持つアクティブ型のＩＣタグのみでは、入門時にその都度ＩＤを入力する必要があり、利便性に欠ける。また、パッシブ型ＩＣタグのみでは通信距離が短いため、応用範囲に限定がある。
【０００５】
そこで、本発明の目的は、パッシブ型ＩＣタグのＩＤを読み取るＲＦＩＤシステムにおいて、電池の消耗を抑制することができる技術を提供することにある。
【０００６】
本発明の前記並びにその他の目的と新規な特徴は、本明細書の記述及び添付図面から明らかになるであろう。
【課題を解決するための手段】
【０００７】
本願において開示される実施例のうち、代表的なものの概要を簡単に説明すれば、次のとおりである。
【０００８】
すなわち、代表的な実施例によるＲＦＩＤシステムは、認識番号を記憶しているＩＣタグと、ＩＣタグの認識番号を読み取るリーダと、リーダの電源制御を行う第１回路とを有しているものである。ＩＣタグは第１及び第２の端子を備え、第１回路は第３及び第４の端子を備えている。第１及び第２の端子と第３及び第４の端子が接続されていないときは、リーダへの電源供給が停止する。第１及び第２の端子と第３及び第４の端子が接続されると、第１回路の制御によりリーダが駆動し、リーダがＩＣタグの認識番号を読み取る。
【０００９】
また、他の代表的な実施例によるＲＦＩＤシステムは、ＩＣタグが内蔵されたカードと、カードホルダとを有しているものである。カードホルダは、ＩＣタグの認識番号を読み取るリーダと、リーダの電源制御を行う第１回路とを備えている。カードは第１及び第２の端子を備え、カードホルダは第３及び第４の端子を備えている。カードがカードホルダに挿入されていないときは、第１及び第２の端子と第３及び第４の端子が接続されないため、リーダへの電源供給が停止する。カードがカードホルダに挿入されると、第１及び第２の端子と第３及び第４の端子が接続されて、第１回路の制御によりリーダが駆動し、リーダがＩＣタグの認識番号を読み取る。
【００１０】
また、他の代表的な実施例によるＲＦＩＤ通信方法は、カードに内蔵されたＩＣタグの認識番号をカードホルダによって読み取るものである。カードホルダは、ＩＣタグの認識番号を読み取るリーダと、リーダの電源制御を行う第１回路とを備えている。カードは第１及び第２の端子を備えており、カードホルダは第３及び第４の端子を備えている。カードがカードホルダに挿入されていないときは、第１及び第２の端子と第３及び第４の端子が接続されないため、リーダへの電源供給が停止する。カードが前記カードホルダに挿入されると、第１及び第２の端子と第３及び第４の端子が接続されて、第１回路の制御によりリーダが駆動し、リーダがＩＣタグの認識番号を読み取る。
【発明の効果】
【００１１】
代表的な実施例によれば、パッシブ型ＩＣタグのＩＤを読み取るリーダの電源制御を行うため、パッシブ型ＩＣタグの存在を簡便に検出して、取得したＩＤを遠方の基地局にアクティブ回路によって送信するので、リーダ電源の省エネルギと利便性を向上させることができる。  
【発明を実施するための最良の形態】
【００１２】
以下、本発明の実施の形態を図面に基づいて詳細に説明する。なお、実施の形態を説明するための全図において、同一部材には原則として同一の符号を付し、その繰り返しの説明は省略する。
【００１３】
（実施の形態１）
図１は本発明の実施の形態１によるＲＦＩＤシステムの構成例を示すブロック図である。本実施の形態１によるＲＦＩＤシステムは、例えば、アクティブ回路１０２、アクティブ回路のアンテナ１０１、ＩＣタグ１０４、ＩＣタグアンテナ１０５、リーダ１０７、リーダアンテナ１０６、基地局１１１、基地局アンテナ１１０、第１の接点１０３、第２の接点１１２、リーダ駆動ライン１０８、ＩＤ送信ライン１０９などから構成される。アクティブ回路のアンテナ１０１はアクティブ回路１０２に接続されている。ＩＣタグアンテナ１０５はＩＣタグ１０４に接続されている。リーダアンテナ１０６はリーダ１０７に接続されている。基地局アンテナ１１０は基地局１１１に接続されている。
【００１４】
ＩＣタグ１０４は、電池を内蔵しないパッシブ型の無線ＩＣタグであり、固有の認識番号（ＩＤ）を記憶するメモリを有し、リーダ１０７から受信した搬送波の電波エネルギから電力を得て、メモリに記憶されたＩＤをリーダ１０７に対して無線送信する機能を有する。また、アクティブ回路１０２と接続するための第１の接点１０３及び第２の接点１１２を備えている。
【００１５】
リーダ１０７は、ＩＣタグ１０４と無線通信を行い、ＩＣタグ１０４のメモリに記憶されたＩＤを読み取る機能を有する。また、リーダ１０７は、リーダ駆動ライン１０８により、アクティブ回路１０２から電源供給を受けて駆動される。また、ＩＤ送信ライン１０９を介してアクティブ回路１０２に対してＩＣタグ１０４から読み取ったＩＤを送信する機能を有する。
【００１６】
アクティブ回路１０２は、基地局１１１と無線通信を行い、リーダ１０７から受信したＩＣタグ１０４のＩＤを基地局１１１に対して送信する機能を有する。また、第１の接点１０３及び第２の接点１１２により、ＩＣタグ１０４とアクティブ回路１０２が接続されていることを検知し、リーダ駆動ライン１０８によりリーダ１０７に対して電源供給を行う機能を有する。また、ＩＤ送信ライン１０９を介してリーダ１０７からＩＣタグ１０４のＩＤを受信する機能を有する。アクティブ回路１０２と基地局１１１との通信距離は、ＩＣタグ１０４の通信距離と比較して、遠い距離まで通信可能である。例えば、アクティブ回路１０２と基地局１１１の間は、無線ＬＡＮ（Ｌｏｃａｌ  Ａｒｅａ  Ｎｅｔｗｏｒｋ）などによって接続される。
【００１７】
基地局１１１は、アクティブ回路１０２と無線通信を行い、ＩＣタグ１０４のＩＤを受信する機能を有する。例えば、複数の基地局１１１を複数箇所に設置することにより、ＩＣタグ１０４の位置を確認することが可能になる。
【００１８】
次に、本実施の形態１によるＲＦＩＤシステムの動作を説明する。第１の接点１０３及び第２の接点１１２により、アクティブ回路１０２とＩＣタグ１０４が接続されていないときは、リーダ１０７への電源供給が停止している。
【００１９】
第１の接点１０３及び第２の接点１１２により、アクティブ回路１０２とＩＣタグ１０４が接続されているときは、以下のように動作する。ＩＣタグ１０４はＩＣタグアンテナ１０５を介してＩＤを送信する。当該ＩＤはリーダアンテナ１０６を介してリーダ１０７に読み取られる。リーダ１０７は、リーダ駆動ライン１０８によって、アクティブ回路から電源供給され、かつ制御線（図示せず）によってリーダ１０７が制御される。リーダ１０７は、ＩＤ送信ライン１０９を介してＩＤをアクティブ回路１０２に送信する。アクティブ回路１０２は、アクティブ回路のアンテナ１０１を介して基地局アンテナ１１０にＩＤを送信する。その結果、基地局１１１はＩＣタグ１０４のＩＤを取得することができる。
【００２０】
アクティブ回路１０２は、図１に明記していないが、電池で駆動されている。リーダ１０７は、第１の接点１０３と第２の接点１１２が導通したとき、アクティブ回路１０２から電源が供給されて駆動される。アクティブ回路１０２がリーダ１０７からＩＤを受け取ると、リーダ１０７への電源供給は停止される。
【００２１】
図２は本発明の実施の形態１によるＲＦＩＤシステムにおいて、ＩＣタグ１０４の構成例を示すブロック図である。ＩＣタグ１０４は、例えば、ＩＣチップ４０７、ショート回路４０６などから構成される。また、ＩＣチップ４０７は、クロック抽出回路４０１、カウンタ回路４０２、整流回路４０３、メモリ回路４０４、デコーダ回路４０５、ロードスイッチ回路４０８などから構成される。ＩＣチップ４０７は、周知の半導体製造技術によって１個の半導体チップ上に集積回路が形成されたものである。ＩＣタグ１０４は、ＩＣチップ４０７、ショート回路４０６、ＩＣタグアンテナ１０５等が紙などのカード内に実装されて製造される。
【００２２】
ショート回路４０６は、第１の接点１０３と第２の接点１１２を接続する導電性の線材から成る。クロック抽出回路４０１はＩＣタグアンテナ１０５からの搬送波からクロック信号成分を抽出するものである。抽出されたクロック信号はカウンタ回路４０２に入力されている。カウンタ回路４０２の各ビット信号はデコーダ回路４０５でデコードされて、メモリ回路４０４のメモリセルを選択するために使用される。メモリ回路４０４はＩＤを記憶する。整流回路４０３は搬送波を直流電圧に変換する機能をもち、各回路に電圧を供給する。ＩＣチップ４０７には他にロードスイッチ回路４０８があって、メモリ回路４０４の出力に依存してＩＣタグアンテナ１０５のインピーダンスを変化させる機能をもっている。このインピーダンスの変化をリーダ１０７が検出して、ＩＣタグ１０４のＩＤを検出することが可能となる。ショート回路４０６は、アクティブ回路１０２がＩＣタグ１０４の存在を検出するために必要なものである。
【００２３】
図３は本発明の実施の形態１によるＲＦＩＤシステムにおいて、アクティブ回路１０２内のＩＣタグ検出部の構成例を示す回路図である。図３のＩＣタグ検出部は、アクティブ回路１０２において、ＩＣタグ１０４との接続部にあたる。アクティブ回路１０２内のＩＣタグ検出部は、例えば、発振回路１００１、差動増幅回路１００２、抵抗１００３などから構成される。
【００２４】
発振回路１００１はＣＭＯＳインバータ回路の３段構成で出来ている所謂リングオシレータである。差動増幅回路１００２は、抵抗１００３の両端の電圧を増幅して検出出力１００４に出力する。第１の接続端子１００５と第２の接続端子１００６が、それぞれ第１の接点１０３と第２の接点１１２を介して、ＩＣタグ１０４に接続して導通状態になると、抵抗１００３に交流電圧が発生して、ＩＣタグ１０４の存在を検出することができる。
【００２５】
次に、図４〜図６により、本発明の実施の形態１によるＲＦＩＤシステムの応用例を説明する。
【００２６】
図４は本発明の実施の形態１によるＲＦＩＤシステムにおいて、カードとカードホルダの構成例を示す図である。カードホルダ７０１はカード７０２を挿入する入れ物である。カード７０２にはＩＣタグ１０４が取り付けられている。カードホルダ７０１には、カードホルダ止めピン７０３がついて、人体の衣服等に付着できるようにしている。また、カードホルダ７０１にはリーダ１０７や電池７０６やアクティブ回路１０２やアクティブ回路のアンテナ１０１が取り付けられている。カード７０２は紙などで形成されている。紙は印刷が容易であり、またデータベースと簡単にリンクできる。また、人間にとって、視認性よくハンドリングできる媒体である。
【００２７】
このＩＣタグ１０４のＩＤとそのときの人物とは一度リンクされていると、そのＩＤを活用して人物の居場所を確認することができる。ＩＣタグ１０４はパッシブ型が低コスト、薄型で紙媒体に適している。このＩＣタグ付カード７０２はカードホルダ７０１に入れると、カードホルダ７０１のアクティブ回路１０２により存在が確認されて、一時的にリーダ１０７の電源が入り、アクティブ回路１０２がＩＤを獲得する。このＩＤを、アクティブ回路のアンテナ１０１を介して遠方の基地局１１１に送信することにより、基地局１１１はＩＤの存在を認識することができる。
【００２８】
原子力発電所のようにセキュリティ管理を必要とするところでの利用が期待される。また、パッシブ型ＩＣタグ１０４の接近によってＩＤを効果的に取得して遠方に送る技術であるため、ドアの開閉確認、火気・バルブ類の開閉確認に有効に使うことが可能となる。
【００２９】
図５は本発明の実施の形態１によるＲＦＩＤシステムにおいて、カードとカードホルダの動作例を示すフローチャートである。カードホルダ７０１内にあるアクティブ回路１０２の端子とＩＣタグ入りカード７０２の端子が接続されていないときは、リーダ１０７への電源供給が停止している。
【００３０】
例えば、原子力発電所では、入門時に来場者の氏名、写真などが印刷されて、その人物の特定が可能である表示がされているカード７０２が発行される（ステップＳ５０１）。このカード７０２にはその人物のＩＤが確定しているＩＣタグ１０４が貼付されている。このカード７０２をカードホルダ７０１に入れると（ステップＳ５０２）、カードホルダ７０１内にあるアクティブ回路１０２の端子とＩＣタグ入りカード７０２の端子が接続する（ステップＳ５０３）。その後、アクティブ回路１０２が動作して、ＩＣタグリーダ１０７を動作させてＩＣタグ１０４からＩＤを読み込む（ステップＳ５０４）。このＩＤをアクティブ回路１０２によって遠方の複数の基地局１１１に送る（ステップＳ５０５）。複数の基地局１１１は分散して配置されていて、そのエリアに入って読み取られたＩＤが認識できるので、その人物の居場所の確認をすることができる。
【００３１】
図６は本発明の実施の形態１によるＲＦＩＤシステムの動作フロー例を示すラダーチャートである。まず、ＩＣタグ１０４は接続状態であることをアクティブ回路１０２に連絡する。すると、アクティブ回路１０２はリーダ１０７を起動して、リーダ１０７は読み取り信号をＩＣタグ１０４に向けて発信する。ＩＣタグ１０４は動作して、ＩＤをリーダ１０７に送信する。リーダ１０７はＩＤを受信すると、アクティブ回路１０２にＩＤを送信する。アクティブ回路１０２は遠方の基地局１１１にＩＤを送信する。
【００３２】
したがって、本実施の形態１によるＲＦＩＤシステムによれば、ＩＣタグ１０４がアクティブ回路１０２に接続されて、ＩＣタグ１０４の存在が確認された時のみ、リーダ１０７に電源が供給されて、ＩＤを獲得するため、電池の消耗を抑えることが可能になる。
【００３３】
（実施の形態２）
本実施の形態２では、前記実施の形態１のＩＣタグ１０４とアクティブ回路１０２の接続部の変形例を説明する。
【００３４】
図７は本発明の実施の形態２によるＲＦＩＤシステムの構成例を示すブロック図である。本実施の形態２によるＲＦＩＤシステムは、例えば、アクティブ回路１０２、アクティブ回路のアンテナ１０１、ＩＣタグ１０４、ＩＣタグアンテナ１０５、リーダ１０７、リーダアンテナ１０６、基地局１１１、基地局アンテナ１１０、第１の容量２０１、第２の容量２０２、リーダ駆動ライン１０８、ＩＤ送信ライン１０９などから構成される。アクティブ回路のアンテナ１０１はアクティブ回路１０２に接続されている。ＩＣタグアンテナ１０５はＩＣタグ１０４に接続されている。リーダアンテナ１０６はリーダ１０７に接続されている。基地局アンテナ１１０は基地局１１１に接続されている。
【００３５】
ＩＣタグ１０４は、電池を内蔵しないパッシブ型の無線ＩＣタグであり、固有の認識番号（ＩＤ）を記憶するメモリを有し、リーダ１０７から受信した搬送波の電波エネルギから電力を得て、メモリに記憶されたＩＤをリーダ１０７に対して無線送信する機能を有する。
【００３６】
本実施の形態２では、アクティブ回路１０２とＩＣタグ１０４を接続するため、第１の接点１０３及び第２の接点１１２の代わりに、アクティブ回路１０２とＩＣタグ１０４の間に第１の容量２０１及び第２の容量２０２を設けて容量結合により接続する構成となっている。
【００３７】
なお、他の構成は、前記実施の形態１と同じであるので、説明を省略する。
【００３８】
次に、本実施の形態２によるＲＦＩＤシステムの動作を説明する。第１の容量２０１及び第２の容量２０２により、アクティブ回路１０２とＩＣタグ１０４が容量結合されていないときは、リーダ１０７への電源供給が停止している。
【００３９】
第１の容量２０１及び第２の容量２０２により、アクティブ回路１０２とＩＣタグ１０４が容量結合されているときは、以下のように動作する。ＩＣタグ１０４はＩＣタグアンテナ１０５を介してＩＤを送信する。当該ＩＤはリーダアンテナ１０６を介してリーダ１０７に読み取られる。リーダ１０７は、リーダ駆動ライン１０８によってアクティブ回路から電源供給され、かつ制御線（図示せず）によってリーダ１０７が制御される。リーダ１０７はＩＤ送信ライン１０９を介してＩＤをアクティブ回路１０２に送信する。アクティブ回路１０２はアクティブ回路のアンテナ１０１を介して基地局アンテナ１１０にＩＤを送信する。その結果、基地局１１１はＩＤを取得することができる。図７はアクティブ回路１０２とＩＣタグ１０４が接近して、第１の容量２０１及び第２の容量２０２の容量値が増大して結合が開始する場合を示している。アクティブ回路１０２は、非接触でＩＣタグの存在を知ることができる。
【００４０】
図８は本発明の実施の形態２によるＲＦＩＤシステムにおいて、ＩＣタグ１０４の構成例を示すブロック図である。ＩＣタグ１０４は、第１の容量２０１と第２の容量２０２を接続するショート回路４０６とＩＣチップ４０７とＩＣタグアンテナ１０５からなっている。クロック抽出回路４０１はＩＣタグアンテナ１０５からの搬送波からクロック信号成分を抽出するものである。抽出されたクロック信号はカウンタ回路４０２に入力されている。カウンタ回路の各ビット信号はデコーダ回路４０５でデコードされてメモリ回路４０４のメモリセルを選択するために使用される。整流回路４０３は搬送波を直流電圧に変換する機能を持ち、各回路に電圧を供給する。ＩＣチップ４０７には他にロードスイッチ回路４０８があって、メモリ回路４０４の出力に依存してＩＣタグアンテナ１０５のインピーダンスを変化させる機能をもっている。このインピーダンスの変化をリーダ１０７が検出して、ＩＣタグ１０４のＩＤを検出することが可能となる。ショート回路４０６はアクティブ回路１０２がＩＣタグ１０４の存在を検出するために必要なものである。ショート回路４０６は、第１の容量２０１と第２の容量２０２を接続する導電性の線材から成る。
【００４１】
したがって、本実施の形態２によれば、前記実施の形態１と同様の効果が得られる。また、アクティブ回路１０２とＩＣタグ１０４の接続を容量結合とすることにより、結合をコンタクト方式にする場合にくらべ、非接触結合であるため結合信頼性を増加させることが可能となる。
【００４２】
（実施の形態３）
本実施の形態３では、前記実施の形態１のＩＣタグ１０４とアクティブ回路１０２の接続部の変形例を説明する。
【００４３】
図９は本発明の実施の形態３によるＲＦＩＤシステムの構成例を示すブロック図である。本実施の形態３によるＲＦＩＤシステムは、例えば、アクティブ回路１０２、アクティブ回路のアンテナ１０１、ＩＣタグ１０４、ＩＣタグアンテナ１０５、リーダ１０７、リーダアンテナ１０６、基地局１１１、基地局アンテナ１１０、第１のコイル３０１、第２のコイル３０２、リーダ駆動ライン１０８、ＩＤ送信ライン１０９などから構成される。アクティブ回路のアンテナ１０１はアクティブ回路１０２に接続されている。ＩＣタグアンテナ１０５はＩＣタグ１０４に接続されている。リーダアンテナ１０６はリーダ１０７に接続されている。基地局アンテナ１１０は基地局１１１に接続されている。
【００４４】
ＩＣタグ１０４は、電池を内蔵しないパッシブ型の無線ＩＣタグであり、固有の認識番号（ＩＤ）を記憶するメモリを有し、リーダ１０７から受信した搬送波の電波エネルギーから電力を得て、メモリに記憶されたＩＤをリーダ１０７に対して無線送信する機能を有する。
【００４５】
本実施の形態３では、アクティブ回路１０２とＩＣタグ１０４を接続するため、第１の接点１０３及び第２の接点１１２の代わりに、アクティブ回路１０２とＩＣタグ１０４の間に第１のコイル３０１及び第２のコイル３０２を設けてコイル結合により接続する構成となっている。
【００４６】
なお、他の構成は、前記実施の形態１と同じであるので、説明を省略する。
【００４７】
次に、本実施の形態３によるＲＦＩＤシステムの動作を説明する。第１のコイル３０１及び第２のコイル３０２により、アクティブ回路１０２とＩＣタグ１０４がコイル結合（インダクタンス結合）されていないときは、リーダ１０７への電源供給が停止している。
【００４８】
第１のコイル３０１及び第２のコイル３０２により、アクティブ回路１０２とＩＣタグ１０４がコイル結合されているときは、以下のように動作する。ＩＣタグ１０４はＩＣタグアンテナ１０５を介してＩＤを送信する。当該ＩＤはリーダアンテナ１０６を介してリーダ１０７に読み取られる。リーダ１０７はリーダ駆動ライン１０８によってアクティブ回路１０２から電源供給され、かつ制御線（図示せず）によって、リーダ１０７が制御される。リーダ１０７は、ＩＤ送信ライン１０９を介してアクティブ回路１０２にＩＤを送信する。アクティブ回路１０２はアクティブ回路のアンテナ１０１を介して基地局アンテナ１１０にＩＤを送信する。その結果、基地局１１１はＩＤを取得することができる。図９はアクティブ回路１０２とＩＣタグ１０４が接近してインダクタンスが増大して結合が開始する場合を示している。アクティブ回路１０２は、非接触でＩＣタグ１０４の存在を知ることができる。
【００４９】
図１０は本発明の実施の形態３によるＲＦＩＤシステムにおいて、ＩＣタグ１０４の構成例を示すブロック図である。ＩＣタグ１０４は第２のコイル３０２の両端を接続するショート回路４０６とＩＣチップ４０７とＩＣタグアンテナ１０５から成っている。クロック抽出回路４０１はＩＣタグアンテナ１０５からの搬送波からクロック信号成分を抽出するものである。抽出されたクロック信号はカウンタ回路４０２に入力されている。カウンタ回路４０２の各ビット信号はデコーダ回路４０５でデコードされてメモリ回路４０４のメモリセルを選択するために使用される。整流回路４０３は搬送波を直流電圧に変換する機能を持ち、各回路に電圧を供給する。ＩＣチップ４０７には他にロードスイッチ回路４０８があって、メモリ回路４０４の出力に依存してＩＣタグアンテナ１０５のインピーダンスを変化させる機能をもっている。このインピーダンスの変化をリーダ１０７が検出して、ＩＣタグ１０４のＩＤを検出することが可能となる。ショート回路４０６はアクティブ回路がＩＣタグ１０４の存在を検出するために必要なものである。ショート回路４０６は、第２のコイル３０２の両端を接続する導電性の線材から成る。
【００５０】
したがって、本実施の形態３によれば、前記実施の形態１と同様の効果が得られる。また、アクティブ回路１０２とＩＣタグ１０４の接続をコイル結合とすることにより、結合をコンタクト方式にする場合にくらべ、非接触結合であるため結合信頼性を増加させることが可能となる。  
【００５１】
以上、本発明者によってなされた発明をその実施の形態に基づき具体的に説明したが、本発明は前記実施の形態に限定されるものではなく、その要旨を逸脱しない範囲で種々変更可能であることはいうまでもない。また、前記実施の形態１〜３をそれぞれ適宜組み合わせて実施してもよい。
【００５２】
例えば、前記実施の形態においては、ＩＣタグの存在を検出するための接続部をＩＣタグとアクティブ回路内に設けたが、カード内やカードホルダ内に独立に設けてもよい。
【産業上の利用可能性】
【００５３】
本発明は、ドアの開閉確認、火気・バルブ類の開閉確認等に適用可能であり、特に、原子力発電所等のセキュリティ管理が必要な施設において効果的である。
【図面の簡単な説明】
【００５４】
【図１】本発明の実施の形態１によるＲＦＩＤシステムの構成例を示すブロック図である。
【図２】本発明の実施の形態１によるＲＦＩＤシステムにおいて、ＩＣタグの構成例を示すブロック図である。
【図３】本発明の実施の形態１によるＲＦＩＤシステムにおいて、アクティブ回路内のＩＣタグ検出部の構成例を示す回路図である。
【図４】本発明の実施の形態１によるＲＦＩＤシステムにおいて、カードとカードホルダの構成例を示す図である。
【図５】本発明の実施の形態１によるＲＦＩＤシステムにおいて、カードとカードホルダの動作例を示すフローチャートである。
【図６】本発明の実施の形態１によるＲＦＩＤシステムの動作フロー例を示すラダーチャートである。
【図７】本発明の実施の形態２によるＲＦＩＤシステムの構成例を示すブロック図である。
【図８】本発明の実施の形態２によるＲＦＩＤシステムにおいて、ＩＣタグの構成例を示すブロック図である。
【図９】本発明の実施の形態３によるＲＦＩＤシステムの構成例を示すブロック図である。
【図１０】本発明の実施の形態３によるＲＦＩＤシステムにおいて、ＩＣタグの構成例を示すブロック図である。
【符号の説明】
【００５５】
１０１  アクティブ回路のアンテナ
１０２  アクティブ回路
１０３  第１の接点
１０４  ＩＣタグ
１０５  ＩＣタグアンテナ
１０６  リーダアンテナ
１０７  リーダ
１０８  リーダ駆動ライン
１０９  ＩＤ送信ライン
１１０  基地局アンテナ
１１１  基地局
１１２  第２の接点
２０１  第１の容量
２０２  第２の容量
３０１  第１のコイル
３０２  第２のコイル
４０１  クロック抽出回路
４０２  カウンタ回路
４０３  整流回路
４０４  メモリ回路
４０５  デコーダ回路
４０６  ショート回路
４０７  ＩＣチップ
４０８  ロードスイッチ回路
７０１  カードホルダ
７０２  カード
７０３  カードホルダ止めピン
７０６  電池
１００１  発振回路
１００２  差動増幅回路
１００３  抵抗
１００４  検出出力
１００５  第１の接続端子
１００６  第２の接続端子
【図１】
2009169499.tif 000003
【図２】
2009169499.tif 000004
【図３】
2009169499.tif 000005
【図４】
2009169499.tif 000006
【図５】
2009169499.tif 000007
【図６】
2009169499.tif 000008
【図７】
2009169499.tif 000009
【図８】
2009169499.tif 000010
【図９】
2009169499.tif 000011
【図１０】
2009169499.tif 000012